(57)【要約】基地局サブシステム（ＢＳＳ）が受信したおよび／または送信したデータに関するアカウンティングを更新するパケット制御機能（ＰＣＦ）（２３０）に作動可能に接続している基地局サブシステム（ＢＳＳ）（２２０）、およびＰＣＦに作動可能に接続しているパケット・データ・サービス・ノード（ＰＤＳＮ）（２４０）を含むパケット・データ通信システム（２００）。ＢＳＳは、移動局（２０２）からＢＳＳが受信したデータ量および／または移動局（２０２）にＢＳＳが送信したデータ量を測定し、測定したデータ量に関する第１の組の情報（２２８）をＰＣＦに送信する。第１の組の情報を受信した場合、ＰＣＦは測定したデータ量に関する第２の組の情報（２３８）をＰＤＳＮに送信する。第２の組の情報を受信した場合、ＰＤＳＮは、測定したデータ量に関する第３の組の情報（２４６）を課金サービス（２６０）に送信する。
2005524340.tif 000002
【特許請求の範囲】
【請求項１】
パケット・データ通信システムにおいてアカウンティングの更新を提供するための方法であって、
基地局サブシステム（ＢＳＳ）により、移動局から前記ＢＳＳが受信したデータ量、および前記移動局に前記ＢＳＳが送信したデータ量のうちの少なくとも一方を測定するステップと、
前記ＢＳＳにより、その測定したデータ量に関する第１の組の情報を、Ａ８／Ａ９インタフェースを介してパケット制御機能（ＰＣＦ）に送信するステップと、
前記第１の組の情報の受信に応答して、前記ＰＣＦにより、前記測定したデータ量に関する第２の組の情報を、Ａ１０／Ａ１１インタフェースを介してパケット・データ・サービス・ノード（ＰＤＳＮ）に送信するステップと、
前記第２の組の情報の受信に応答して、前記ＰＤＳＮにより、前記測定したデータ量に関する第３の組の情報を課金サービスに送信するステップとを含む方法。
【請求項２】
前記基地局サブシステム（ＢＳＳ）により、前記測定したデータ量に関する第１の組の情報を、Ａ８／Ａ９インタフェースを介してパケット制御機能（ＰＣＦ）に送信する前記ステップが、
前記ＢＳＳにより、Ａ８／Ａ９使用報告パラメータ、Ａ９−解放−Ａ８メッセージ、および前記測定したデータ量に関する第１の組の情報を含むＡ９−更新−Ａ８メッセージのうちの少なくとも１つを編成するステップと、
前記ＢＳＳにより、前記Ａ８／Ａ９使用報告パラメータ、前記Ａ９−解放−Ａ８メッセージ、前記Ａ９−更新−Ａ８メッセージのうちの前記少なくとも１つを前記ＰＣＦに送信するステップとを含む、請求項１に記載の方法。
【請求項３】
前記パケット制御機能（ＰＣＦ）により、前記測定したデータ量に関する第２の組の情報を、Ａ１０／Ａ１１インタフェースを介してパケット・データ・サービス・ノード（ＰＤＳＮ）に送信する前記ステップが、
前記ＢＳＳにより、Ａ１０／Ａ１１エアリンク記録および前記測定したデータ量に関する第２の組の情報を有するＡ１１登録要求メッセージのうちの少なくとも１つを編成するステップと、
前記ＰＣＦにより、前記Ａ１０／Ａ１１エアリンク記録および前記Ａ１１登録要求メッセージのうちの前記少なくとも一方を前記ＰＤＳＮに送信するステップとを含む、請求項１に記載の方法。
【請求項４】
前記パケットデータ・サービス・ノード（ＰＤＳＮ）により、前記測定したデータ量に関する第３の組の情報を、課金サービスに送信する前記ステップが、
前記ＰＤＳＮにより、前記測定したデータ量に関する第３の組の情報を有するアカウンティング要求メッセージを編成するステップと、
前記ＰＤＳＮにより、前記アカウンティング要求メッセージを前記課金サービスに送信するステップとを含む、請求項１に記載の方法。
【請求項５】
パケット・データ通信システムに対してアカウンティングの更新を提供するための装置であって、移動局から基地局サブシステム（ＢＳＳ）が受信したデータ量、および前記移動局に前記ＢＳＳが送信したデータ量のうちの少なくとも一方を測定し、その測定したデータ量に関する第１の組の情報を有するＡ８／Ａ９使用報告パラメータを編成する基地局コントローラ（ＢＳＣ）を備える装置。
【請求項６】
前記基地局コントローラが、さらに、前記Ａ８／Ａ９使用報告パラメータを送信し、前記装置が、さらに、前記Ａ８／Ａ９使用報告パラメータを受信し、そのＡ８／Ａ９使用報
告パラメータの受信に応答して、前記第１の組の情報に基づいて、第２の組の情報を有するＡ１０／Ａ１１エアリンク記録を編成するパケット制御機能（ＰＣＦ）を備える、請求項５に記載の装置。
【請求項７】
前記パケット制御機能が、さらに、前記Ａ１０／Ａ１１エアリンク記録を送信し、前記装置が、さらに、前記Ａ１０／Ａ１１エアリンク記録を受信し、そのＡ１０／Ａ１１エアリンク記録の受信に応答して、前記第２の組の情報に基づいて、第３の組の情報を有するアカウンティングメッセージを編成するパケット・データ・サービス・ノード（ＰＤＳＮ）を備える、請求項６に記載の装置。
【請求項８】
パケット・データ通信システムに対してアカウンティングの更新を提供するための装置であって、移動局から基地局サブシステムが受信したデータ量、および移動局に前記基地局サブシステムが送信したデータ量のうちの少なくとも一方に関するデータを受信し、それらの送信データおよび／または受信データに基づいて、前記送信および／または受信データに関する情報を有するＡ１０／Ａ１１エアリンク記録を編成するパケット制御機能（ＰＣＦ）を備える装置。
【請求項９】
前記パケット制御機能が、さらに、前記Ａ１０／Ａ１１エアリンク記録を送信し、前記装置が、さらに、前記Ａ１０／Ａ１１エアリンク記録を受信し、前記Ａ１０／Ａ１１エアリンク記録の受信に応答して、前記送信および／または受信データに関する情報を有するアカウンティング報告メッセージを編成するパケット・データ・サービス・ノード（ＰＤＳＮ）を備える、請求項８に記載の装置。
【請求項１０】
Ａ８／Ａ９メッセージを編成するための機械実行可能命令を格納している機械可読媒体であって、移動局から基地局サブシステムが受信したデータ量、および移動局に前記基地局サブシステムが送信したデータ量のうちの少なくとも一方を有する機械可読媒体。
【請求項１１】
Ａ１０／Ａ１１メッセージを編成するための機械実行可能命令を格納している機械可読媒体であって、移動局から基地局サブシステムが受信したデータ量、および移動局に前記基地局サブシステムが送信したデータ量のうちの少なくとも一方を有する機械可読媒体。
【発明の詳細な説明】
【技術分野】
【０００１】
本発明は、概して、セルラー通信システムに関し、特にパケット・データ通信システムのデータ伝送プロトコルに関する。
【背景技術】
【０００２】
ＴＩＡ／ＥＩＡ（米国電気通信工業会／米国電子工業会）ＩＳ−２００１、またはＩＯＳ（３ＧＰＰ２インターオペラビリティ仕様）規格は、ｃｄｍａ２０００、１ＸＥＶ−ＤＯ、またはＩＳ−２００１をベースとするアクセス・ネットワークがサポートする任意の他の技術として動作するセルラー移動通信システム用の互換性の規格を規定している。この規格は、ｃｄｍａ２０００システムで動作している移動局（ＭＳ）が、上記規格に従って製造したセルラー通信システムまたはパーソナル・コミュニケーション・システム（ＰＣＳ）で動作する場合、通信サービスを確実に受けることができるようにしている。互換性を確保するために、この規格は、基地局を含むインフラストラクチャの要素間で交換される呼、デジタル制御メッセージおよびアナログ信号を確立するために、ＭＳおよびＭＳにサービスを提供している基地局が実行する呼処理ステップを含む無線システム・パラメータおよび呼処理手順を規定している。
【０００３】
図１は、従来技術の典型的なｃｄｍａ２０００通信システム１００のブロック図である。通信システム１００は、エア・インタフェース１０４を介して、基地局サブシステム（ＢＳＳ）１０６と通信しているＭＳ１０２を含む。通常、データは、無線リンク・プロトコル（ＲＬＰ）に従って、エア・インタフェース１０４を通してＭＳ１０２とＢＳＳ１０６との間で転送される。ＢＳＳ１０６は、Ａ８／Ａ９、またはＢＳＳおよびＰＣＦおよびＡ９信号インタフェース間でベアラ経路を形成するＡ８インタフェースを含むＡｑｕｉｎｔｅｒインタフェース１０８を介してパケット制御機能（ＰＣＦ）１１０に結合している。ＰＣＦ１１０は、Ａ１０／Ａ１１、またはＰＣＦおよびＰＤＳＮおよびＡ１１信号インタフェース間でベアラ経路を形成するＡ１０インタフェースを含むＡｑｕａｔｅｒインタフェース１１２を介してパケット・データ・サービス・ノード（ＰＤＳＮ）１１４に結合している。ＢＳＳ１０６、ＰＣＦ１１０およびＰＤＳＮ１１４は、無線インフラストラクチャと総称される。ＰＤＳＮ１１４は、インターネット１１８およびインターネットに結合しているウェブ・サーバ１２０（図に示す）にＭＳ１０２がアクセスできるようにするインターネット・サービス・プロバイダ（ＩＳＰ）１１６に結合している。
【０００４】
通信システム１００においては、ＭＳ１０２がウェブ・サーバ１２０からデータをダウンロードする場合、データはＩＳＰ１１６、ＰＤＳＮ１１４、ＰＣＦ１１０およびＢＳＳ１０６を介してＭＳ１０２に送られる。データは、通常、インターネット・プロトコル（ＩＰ）規格に従ってフォーマットされるデータ・パケットに内蔵されている。ＰＤＳＮ１１４は、無線インフラストラクチャ、特にＰＤＳＮにより、ＩＳＰ１１６から送信および／または受信するバイト数を監視し、送信および／または受信したバイト数のカウントを保持する。ＰＤＳＮは、次に、受信したバイト数のカウントを、アカウンティング要求メッセージ内のＩＳＰ１１６に関連する認証（Ａｕｔｈｅｎｔｉｃａｔｉｏｎ）、認可（Ａｕｔｈｏｒｉｚａｔｉｏｎ）およびアカウンティング（Ａｃｃｏｕｎｔｉｎｇ）（ＡＡＡ）サーバ１２２に送る。課金サービス（ｂｉｌｌｉｎｇ  ｓｅｒｖｉｃｅ）１２４は、次に、ＡＡＡサーバ１２２からアカウンティング記録を検索し、ＰＳＤＮ１１４が送信および／または受信したバイト数のカウントに基づいて、ＭＳ１０２に関連する顧客に料金を請求する。
【０００５】
通信システム１００が提供する課金（ｂｉｌｌｉｎｇ）またはアカウンティングプロセスに関連する１つの問題は、ＰＤＳＮ１１４がＡＡＡサーバ１２２に送るバイト・カウントが、ＩＳＰ１１６からＰＤＳＮ１１４が受信した後で、インフラストラクチャが喪失したすべてのデータ・パケットを反映していないことであり、またプロセスが、エア・インタフェース１０４の状態が悪いためにＢＳＳ１０６からＭＳ１０２に送信される時に喪失したすべてのデータ・パケットを反映していないことである。さらに、ＭＳ１０２のハンドオフが、ＰＣＦ１１０と他のＰＣＦ（図示せず）との間で行われた場合、ＭＳ１０２に関連する顧客の課金に反映されていないデータ・パケットが、ＰＣＦ１１０により破棄される場合がある。
【０００６】
例えば、ＭＳ１０２が、ＢＳＳ１０６の感度の悪い有効範囲エリア内に位置している場合には、感度が悪いためにフレーム喪失率（ＦＥＲ）が高くなる場合がある。ＦＥＲが高くなると、ＩＳＰ１１６からＭＳ１０２へ転送中のデータ・パケットが、ＢＳＳ１０６内に常駐しているバッファ内に待ち行列を形成することになる。ＢＳＳ１０６にデータ・パケットの待ち行列ができると、ＩＳＰ１１６からＭＳ１０２へ転送中のデータ・パケットが、ＰＣＦ１１０内に常駐しているバッファ内に待ち行列を形成することになる。ＢＳＳ１０６およびＰＣＦ１１０内のバッファが満杯になると、ＭＳ１０２用のＢＳＳおよびＰＣＦが受信する追加のデータ・パケットが喪失する場合がある。しかし、これらの喪失したパケットは、ＰＤＳＮ１１４により転送に成功したものとしてカウントされ、ＰＤＳＮはこのカウントをＡＡＡサーバ１２２に報告する。喪失したデータ・パケットは、次に、ＰＤＳＮ１１４またはＩＳＰ１１６により再送信しなければならない場合があり、再送信したデータ・パケットもＰＤＳＮ１１４により転送に成功したものとしてカウントされ、ＰＤＳＮはこのカウントをＡＡＡサーバ１２２に報告する。その結果、ＭＳ１０２に関連する顧客は喪失した各データ・パケットについて課金されることとなり、ＭＳが実際に受信したデータ・パケットの数に正しく対応していない課金が行われることになる。
【０００７】
もう１つの例を挙げると、ＭＳ１０２は、能動セッションではあるが、それに対して無線リソースが割り当てられていないセッション中に依然として参加している間に休止状態にある場合がある。一方、ＰＤＳＮ１１４は、ＭＳ１０２が休止状態にあって、ＰＣＦ１１０にデータを送り続けていることに気がつかない場合がある。この場合も、ＰＣＦ１１０内のバッファが満杯になると、ＭＳ１０２用のＰＣＦが受信した追加のデータ・パケットが喪失する場合があり、この喪失したパケットが、ＰＤＳＮ１１４により、転送に成功したものとしてカウントされ、ＰＤＳＮがこのカウントをＡＡＡサーバ１２２に報告することになる。この場合も、その結果、ＭＳ１０２に関連する顧客に対して、ＭＳが受信しなかったデータについての課金が行われる。
【発明の開示】
【発明が解決しようとする課題】
【０００８】
それ故、ＭＳ１０２のような移動局に転送されたデータ量をカウントするより正確なシステムを提供する方法および装置の開発が待望されている。
【課題を解決するための手段】
【０００９】
移動局に転送したデータ量をカウントするためのより正確なシステムを提供する方法および装置に対する要望に対応するために、Ａ８／Ａ９インタフェースを介して、パケット制御機能（ＰＣＦ）に作動可能に接続している基地局サブシステム（ＢＳＳ）、およびＡ１０／Ａ１１インタフェースを介して、ＰＣＦに作動可能に接続しているパケット・データ・サービス・ノード（ＰＤＳＮ）を含むパケット・データ通信システムは、ＢＳＳが受信および／または送信したデータに関するアカウンティングの更新を提供する。ＢＳＳは、移動局からＢＳＳが受信したデータ量、および／または移動局にＢＳＳが送信したデータ量を測定し、測定したデータ量に関する第１の組の情報をＰＣＦに送信する。上記第１
の組の情報を受信すると、ＰＣＦは、測定したデータ量に関する第２の組の情報をＰＤＳＮに送信する。上記第２の組の情報を受信すると、ＰＤＳＮは、測定したデータ量に関する第３の組の情報を課金サービスに送る。
【００１０】
一般的に、本発明の実施形態は、パケット・データ通信システムでアカウンティングの更新を提供するための方法を含む。この方法は、基地局サブシステム（ＢＳＳ）が移動局からＢＳＳが受信したデータ量、および移動局にＢＳＳが送信したデータ量のうちの少なくとも一方を測定するステップと、ＢＳＳにより、測定したデータ量に関する第１の組の情報を、Ａ８／Ａ９インタフェースを介して、パケット制御機能（ＰＣＦ）に送信するステップとを含む。この方法は、さらに、ＰＣＦにより、第１の組の情報を受信した場合に、測定したデータ量に関する第２の組の情報を、Ａ１０／Ａ１１インタフェースを介してパケット・データ・サービス・ノード（ＰＤＳＮ）に送信するステップと、ＰＤＳＮにより、第２の組の情報を受信した場合に、測定したデータ量に関する第３の組の情報を課金サービスに送信するステップとを含む。
【００１１】
本発明のもう１つの実施形態は、パケット・データ通信システムに対してアカウンティングの更新を提供するための装置を含む。この装置は、移動局から基地局サブシステム（ＢＳＳ）が受信したデータ量、および移動局にＢＳＳが送信したデータ量のうちの少なくとも一方を測定し、測定したデータ量に関する第１の組の情報を有するＡ８／Ａ９使用報告パラメータを編成（ａｓｓｅｍｂｌｅ）する基地局コントローラ（ＢＳＣ）を含む。
【００１２】
本発明のさらにもう１つの実施形態は、パケット・データ通信システムに対するアカウンティングの更新を提供するための装置を含む。この装置は、移動局から基地局サブシステムが受信したデータ量、および移動局に基地局サブシステムが送信したデータ量のうちの少なくとも一方に関するデータを受信し、送信および／または受信データに基づいて、送信および／または受信データに関する情報を有するＡ１０／Ａ１１エアリンク記録を編成するパケット制御機能（ＰＣＦ）を含む。
【００１３】
本発明のさらにもう１つの実施形態は、移動局から基地局サブシステムが受信したデータ量、および移動局に基地局サブシステムが送信したデータ量のうちの少なくとも一方を有するＡ８／Ａ９メッセージを編成するために、その上に機械実行可能命令を記憶している、機械可読媒体を含む。
【００１４】
本発明のさらにもう１つの実施形態は、移動局から基地局サブシステムが受信したデータ量、および移動局に基地局サブシステムが送信したデータ量のうちの少なくとも一方を有するＡ１０／Ａ１１メッセージを編成するために、その上に機械実行可能命令を記憶している機械可読媒体を含む。
【発明を実施するための最良の形態】
【００１５】
図２〜図５を参照しながら、本発明をさらに詳細に説明する。図２は、本発明のある実施形態による無線通信システム２００のブロック図である。通信システム２００は、順方向リンク２０６および逆方向リンク２０８を含むエア・インタフェース２０４を介して通信する少なくとも１つの移動局（ＭＳ）２０２および基地局サブシステム（ＢＳＳ）２２０を含む。ＢＳＳ２２０は、好適には、基地局コントローラ（ＢＳＣ）２２２に動作できるように接続している少なくとも１つの基地トランシーバ局（ＢＴＳ）２２１を含むことが好ましい。
【００１６】
ＢＳＳ２２０、好適には、ＢＳＳ２２０のＢＳＣ２２２は、パケット制御機能（ＰＣＦ）２３０に作動可能に接続しており、パケット制御機能は、パケット・データ・サービス・ノード（ＰＤＳＮ）２４０に作動可能に接続している。ＢＳＳ２２０、ＰＣＦ２３０お
よびＰＤＳＮ２４０は、本明細書においては、電気通信インフラストラクチャ２１０と総称される。電気通信インフラストラクチャ２１０、好適には、ＰＤＳＮ２４０は、インターネット２５２および、インターネットを介して、ウェブ・サーバ２５４と通信しているＩＳＰ２５０を備える外部ネットワークに作動可能に接続している。ＢＳＣ２２２、ＰＣＦ２３０およびＰＤＳＮ２４０は、それぞれ、１つまたはそれ以上のマイクロプロセッサ、マイクロコントローラ、デジタル信号プロセッサ（ＤＳＰ）、これらの組合わせ、または通常の当業者にとって周知のこのような他のデバイスのような各プロセッサ２２３，２３２，２４２、並びにデータおよび対応するプロセッサが実行することができるプログラムを記憶するランダム・アクセス・メモリ（ＲＡＭ）、動的ランダム・アクセス・メモリ（ＤＲＡＭ）および／または読取専用メモリ（ＲＯＭ）またはその等価物のような１つまたはそれ以上の関連メモリ素子２２４，２３４，２４４を含む。
【００１７】
通信システム２００は、無線パケット・データ通信システムを備える。ＭＳ２０２が、ＩＳＰ２５０、インターネット２５２、およびウェブ・サーバ２５４を備えるネットワークのような外部ネットワークとのパケット・データ接続を確立できるように、ＢＳＳ２２０、ＰＣＦ２３０およびＰＤＳＮ２４０は、それぞれ周知の無線通信プロトコルに従って動作する。周知のプロトコルに従って動作することにより、ＭＳ２０２のユーザは、インフラストラクチャ２１０と通信することができ、インフラストラクチャ２１０を介して外部ネットワークとのパケット・データ通信リンクを確立できることを保証され得る。好適には、通信システム２００は、３ＧＰＰ２およびＴＩＡ／ＥＩＡ（米国電気通信工業会／米国電子工業会）ＩＳ−２００１、またはＩＳ−２０００、すなわち、ｃｄｍａ２０００または１ｘＥＶ−ＤＯシステムに対する互換性規格を提供するＩＯＳ（インターオペラビリティ仕様）規格に従って動作し、インフラストラクチャ２１０は、ＩＳ−２００１アクセス・ネットワークを備えることが好ましい。この規格は、無線システム・パラメータおよび呼処理手順を含む無線通信システム動作プロトコルを規定している。しかし、通常の当業者であれば、通信システム２００が、移動通信用グローバル・システム（ＧＳＭ）通信システム、時分割多元接続（ＴＤＭＡ）通信システム、周波数分割多元接続（ＦＤＭＡ）通信システム、または直交周波数分割多元接続（ＯＦＤＭ）通信システムのような種々の無線パケット・データ通信システムの中の任意のシステムにより動作することができることが分かる。
【００１８】
ＢＳＣ２２２およびＰＣＦ２３０は、Ａ８／Ａ９インタフェース２２６により接続されており、このインタフェースを通してＡ８／Ａ９メッセージを交換する。Ａ８／Ａ９インタフェース２２６は、ＢＳＳおよびＰＣＦおよびＡ９信号インタフェース間にベアラ経路を形成するＡ８インタフェースを含む。Ａ８／Ａ９メッセージは、ＢＳＣ２２２およびＰＣＦ２３０それぞれの内部でその各プロセッサ２２３，２３２により、その各メモリ素子２２４，２３４内に記憶しているソフトウェアにより編成（ａｓｓｅｍｂｌｅ）される。ＰＣＦ２３０およびＰＤＳＮ２４０は、Ａ１０／Ａ１１インタフェース２３６によって接続されており、このインタフェースを通してＡ１０／Ａ１１メッセージを交換する。Ａ１０／Ａ１１メッセージは、ＰＣＦ２３０およびＰＤＳＮ２４０それぞれの内部で、その各プロセッサ２３２，２４２により、その各メモリ素子２３４，２４４内に記憶しているソフトウェアにより編成される。
【００１９】
ＭＳ２０２に関連する顧客に対して、インフラストラクチャ２１０が喪失したデータ・パケットについての課金が行われるのを避けるために、通信システム２００は、ＭＳ２０２からＢＳＳ２２０が受信したデータ量、およびＢＳＳ２２０がＭＳ２０２に送信したデータ量のアカウンティングを課金システム２６０に提供する。図３は、課金システム２６０にアカウンティングを提供する際に、通信システム２００特にインフラストラクチャ２１０が実行するステップの論理フローチャート３００である。論理フローチャート３００は、ＢＳＳ２２０、好適には、ＢＳＣ２２２または別の方法としてはＢＴＳ２２１が、順
方向リンク２０６を介してＢＳＳがＭＳ２０２に送信した多数のバイトのようなデータ量を測定（３０４）、好適には、カウントすると、開始する（３０２）。ＢＳＳ２２０、好適には、ＢＳＣ２２２または別の方法としてはＢＴＳ２２１は、さらに、逆方向リンク２０８を介してＭＳ２０２からＢＳＳ２２０が受信した多数のバイトのようなデータ量をカウントする（３０６）。ＢＳＳ２２０、好適には、ＢＳＣ２２２は、次に、順方向リンク・データ・カウント、逆方向リンク・データ・カウント、または順方向リンクおよび逆方向リンクデータ・カウントの両方に関する第１の組の情報を含むＡ８／Ａ９使用報告パラメータ２２８を編成し（３０８）、編成したＡ８／Ａ９使用報告パラメータ２２８を、Ａ８／Ａ９インタフェース２２６を通してＰＣＦ２３０に送る（３１０）。
【００２０】
Ａ８／Ａ９使用報告パラメータ２２８を受信すると、ＰＣＦ２３０は、ＢＳＳ２２０から受信した順方向リンクおよび／または逆方向リンク・データ・カウントに関する第２の組の情報を含むＡ１０／Ａ１１エアリンク記録２３８を編成し（３１２）、編成したＡ１０／Ａ１１エアリンク記録２３８を、Ａ１０／Ａ１１インタフェース２３６を介してＰＤＳＮ２４０に送る（３１４）。Ａ１０／Ａ１１エアリンク記録２３８を受信すると、ＰＤＳＮ２４０は、ＰＣＦ２３０からＰＤＳＮが受信した順方向リンクおよび／または逆方向リンク・データ・カウントに関する第３の組の情報を含む修正したアカウンティング要求メッセージを編成し（３１６）、修正したアカウンティング要求メッセージをＩＳＰ２５０に関連する課金システム２６０に送る（３１８）。次に、論理の流れは終わる（３２０）。
【００２１】
本発明のある実施形態の場合には、Ａ８／Ａ９使用報告パラメータ２２８は、ＭＳ２０２にＢＳＳ２２０が送信したデータ量、および／またはＭＳ２０２からＢＳＳ２２０が受信したデータ量を知らせるために修正したＡ９−解放−Ａ８メッセージを含む。本発明のもう１つの実施形態の場合には、Ａ８／Ａ９使用報告パラメータ２２８は、ＭＳ２０２にＢＳＳ２２０が送信したデータ量、またはＭＳ２０２からＢＳＳ２２０が受信したデータ量を知らせるために修正したＡ９−更新（ＵＰＤＡＴＥ）−Ａ８メッセージを含むことができる。Ａ９−解放（ＲＥＬＥＡＳＥ）−Ａ８メッセージおよびＡ９−更新−Ａ８メッセージそれぞれについては、該当する節を米国電気通信工業会から入手することができ、参照により本明細書に組み込むものとするＴＩＡ／ＥＩＡ  ＩＳ−２００１仕様に詳細に記載されている。
【００２２】
好適には、修正した各Ａ９−解放−Ａ８メッセージおよび修正したＡ９−更新−Ａ８メッセージを、メッセージをＡ８／Ａ９使用報告パラメータとして識別し、ＭＳ２０２にＢＳＳ２２０が送信したデータ量、および／またはＭＳ２０２からＢＳＳ２２０が受信したデータ量を知らせるＡ８／Ａ９使用報告データ・フィールドを含むように修正することが好ましい。図４は、本発明のある実施形態による修正したＡ９−解放−Ａ８メッセージ、または修正したＡ９−更新−Ａ８メッセージのＡ８／Ａ９使用報告データ・フィールド４００のブロック図である。Ａ８／Ａ９使用報告データ・フィールド４００は、複数のデータ・フィールド４０１〜４０４にさらに分割される。複数のデータ・フィールド４０１〜４０４の第１のデータ・フィールド４０１は、Ａ８／Ａ９メッセージを使用報告メッセージとして識別するＡ９要素識別子データ・フィールドである。複数のデータ・フィールド４０１〜４０４の第２のデータ・フィールド４０２は、使用報告データ・フィールド４００の長さを知らせる使用報告データ・フィールド長データ・フィールドである。複数のデータ・フィールド４０１〜４０４の第３のデータ・フィールド４０３は、ＭＳ２０２にＢＳＳ２２０が送信したデータ量を知らせる順方向バイト・カウント、または順方向オクテット・カウント・データ・フィールドである。複数のデータ・フィールド４０１〜４０４の第４のデータ・フィールド４０４は、ＢＳＳ２２０にＭＳ２０２が送信したデータ量を知らせる逆方向バイト・カウントまたは逆方向オクテット・カウント・データ・フィールドである。
【００２３】
ＭＳ２０２が、データ・パケットの受信にＭＳが成功したことを肯定応答する、システム２００のある実施形態の場合には、順方向バイト・カウント・データ・フィールド４０３は、ＢＳＳ２２０が送信し、ＭＳ２０２が肯定応答したデータ量のカウントのみを含むことができる。しかし、システム２００のもう１つの実施形態の場合には、順方向バイト・カウント・データ・フィールド４０３は、肯定応答を含まないシステム２００の実施形態の場合のように、データの肯定応答が行われても行われなくても、送信したデータのカウントを含むことができる。
【００２４】
好適には、Ａ１０／Ａ１１エアリンク記録２３８は、ＭＳ２０２にＢＳＳ２２０が送信したデータ量、またはＭＳ２０２からＢＳＳ２２０が受信したデータ量を知らせるように修正したＡ１１登録要求（ＲＥＧＩＳＴＲＡＴＩＯＮ  ＲＥＱＵＥＳＴ）メッセージを有することが好ましい。Ａ１１登録要求メッセージは、当業者にとって周知のものであって、米国電気通信工業会から入手することができ、参照により本明細書に組み込むものとするＴＩＡ／ＥＩＡ  ＩＳ−２００１仕様に詳細に記載されている。好適には、Ａ１１登録要求メッセージは、メッセージをＡ１０／Ａ１１エアリンク記録として識別し、ＭＳ２０２にＢＳＳ２２０が送信したデータ量、および／またはＭＳ２０２からＢＳＳ２２０が受信したデータ量を知らせる使用報告拡張を含むように修正することが好ましい。Ａ１１登録要求メッセージは、さらに、メッセージが内蔵するエアリンク記録内のＭＳ２０２にＢＳＳ２２０が送信したデータ量、および／またはＭＳ２０２からＢＳＳ２２０が受信したデータ量を知らせるように修正することができる。
【００２５】
図５は、本発明のある実施形態によるＡ１１登録要求メッセージの新しい通常の販売業者／組織特定拡張（Ｎｏｒｍａｌ  Ｖｅｎｄｏｒ／Ｏｒｇａｎｉｚａｔｉｏｎ  Ｓｐｅｃｉｆｉｃ  Ｅｘｔｅｎｓｉｏｎ（ＮＶＳＥ））５００のブロック図である。ＮＶＳＥ５００は、複数のデータ・フィールド５０１〜５０５を有する。複数のデータ・フィールド５０１〜５０５の第１のデータ・フィールド５０１は、Ａ１１登録要求メッセージ内のＮＶＳＥ自身を、アカウンティング情報を有するものとして識別するＡ１１要素識別子データ・フィールド５０１である。複数のデータ・フィールド５０１〜５０５の第２のデータ・フィールド５０２は、拡張長さデータ・フィールドである。複数のデータ・フィールド５０１〜５０５の第３のデータ・フィールド５０３は、システム２００のオペレータのために確保される。複数のデータ・フィールド５０１〜５０５の第４のデータ・フィールド５０４は、３ＧＰＰ２販売業者識別子を含む。複数のデータ・フィールド５０１〜５０５の第５のデータ・フィールド５０５は、ＭＳ２０２にＢＳＳ２２０が送信したデータ量、またはＭＳ２０２からＢＳＳ２２０が受信したデータ量を識別するＡ１０／Ａ１１アカウンティング記録である。
【００２６】
好適には、Ａ１０／Ａ１１アカウンティング記録データ・フィールド５０５は、複数のデータ・フィールド５０６〜５０９を有することが好ましい。複数のデータ・フィールド５０６〜５０９の第１のデータ・フィールド５０６は、Ａ１１登録要求メッセージ内のアカウンティング記録を識別するアプリケーション・タイプ・データ・フィールドである。複数のデータ・フィールド５０６〜５０９の第２のデータ・フィールド５０７は、アプリケーション・タイプ内のアプリケーション・サブタイプを半径記録として識別するアプリケーション・サブタイプ・データ・フィールドである。複数のデータ・フィールド５０６〜５０９の第３のデータ・フィールド５０８および第４のデータ・フィールド５０９は、ＰＣＦ２３０および特にＰＣＦのプロセッサ２３２が、それぞれ、ＢＳＳ２２０からＰＣＦが受信したおよびそれぞれが、ＭＳ２０２にＢＳＳ２２０が送信したデータ量およびＢＳＳ２２０にＭＳ２０２が送信したデータ量を知らせる順方向バイト・カウントまたは順方向オクテット・カウント、および／または逆方向バイト・カウントまたは逆方向オクテット・カウント・データに関するデータを埋め込むアプリケーション・データ・データ・
フィールドである。ＰＣＦ２３０および特にＰＣＦのプロセッサ２３２は、さらに、Ａ１１登録要求メッセージのエアリンク記録内の順方向バイト・カウントまたは順方向オクテット・カウント、および／または逆方向バイト・カウントまたは逆方向オクテット・カウント・データに対応するデータを埋め込むことにより、Ａ１１登録要求メッセージを修正することができる。
【００２７】
ＰＤＳＮ２４０は、次に、課金システム２６０への、好適には、アカウンティングゲートウェイ２６４を介して、ＩＳＰ２５０に関連する課金サービス２６６へ課金データを送る課金システム２６０内の認証、認可およびアカウンティングプロキシ（ＡＡＡ）２６２への、Ａ１０／Ａ１１エアリンク記録内のＰＣＦ２３０からＰＤＳＮが受信した順方向バイト・カウントまたは順方向オクテット・カウント、および／または逆方向バイト・カウントまたは逆方向オクテット・カウント・データに関する情報を送る。好適には、順方向バイト・カウントおよび／または逆方向バイト・カウント・データは、ＰＤＳＮ２４０により、修正したアカウンティング要求メッセージ２４６内の課金システム２６０に送ることが好ましい。従来技術のアカウンティング要求メッセージとは異なり、修正したアカウンティング要求メッセージ２４６は、ＰＤＳＮ２４０のプロセッサ２４２が、Ａ１０／Ａ１１エアリンク記録２３８内のＰＣＦ２３０からＰＤＳＮが受信した順方向バイト・カウントまたは順方向オクテット・カウント、および／または逆方向バイト・カウントまたは逆方向オクテット・カウント・データに対応するデータを埋め込む順方向バイト・カウントまたは順方向オクテット・カウント・データ・フィールド、および／または逆方向バイト・カウントまたは逆方向オクテット・カウント・データ・フィールドを含むように修正される。
【００２８】
総括すると、パケット・データ通信システム２００は、ＭＳ２０２からＢＳＳ２２０が受信したデータ、および／またはＭＳ２０２にＢＳＳ２２０が送信したデータに関するアカウンティングの更新を提供する。ＢＳＳ２２０は、ＭＳ２０２からＢＳＳ２２０が受信したデータ量、およびＭＳ１０２にＢＳＳ２２０が送信したデータ量のうちの少なくとも一方を測定し、測定したデータ量に関する第１の組の情報を含むＡ８／Ａ９使用報告パラメータ２２８を編成する。本発明のある実施形態の場合には、Ａ８／Ａ９使用報告パラメータ２２８は、Ａ９−解放−Ａ８メッセージを有する。本発明の他の実施形態の場合には、Ａ８／Ａ９使用報告パラメータ２２８は、Ａ９−更新−Ａ８メッセージを有する。ＢＳＳ２２０は、次に、編成した８／Ａ９使用報告パラメータ２２８をＰＣＦ２３０に送る。
【００２９】
Ａ８／Ａ９使用報告パラメータ２２８をＢＳＳ２２０から受信すると、ＰＣＦ２３０は、ＭＳ２０２からＢＳＳ２２０が受信したデータの測定量および／またはＭＳ１０２にＢＳＳ２２０が送信したデータの測定量に関する第２の組の情報を含むＡ１０／Ａ１１エアリンク記録２３８を編成する。本発明のある実施形態の場合には、Ａ１０／Ａ１１エアリンク記録２３８は、Ａ１１登録要求メッセージを有する。ＰＣＦ２３０は、次に、編成したＡ１０／Ａ１１エアリンク記録２３８をＰＤＳＮ２４０に送る。ＰＣＦ２３０からＡ１０／Ａ１１エアリンク記録２３８を受信すると、ＰＤＳＮ２４０は、ＭＳ２０２からＢＳＳ２２０が受信したデータの測定量および／またはＭＳ１０２にＢＳＳ２２０が送信したデータの測定量に関する第３の組の情報を含むアカウンティング要求２４６を編成する。第１、第２および第３の組の各情報は、同じ情報であってもよいし、異なっているが関連する情報であってもよい。ＰＤＳＮ２４０は、次に、アカウンティング要求２４６を課金システム２６０に送り、それにより課金システムが、ＭＳが実際に受信および／または送信した多数のデータ・パケットについて、ＭＳ２０２に関連する顧客に正しく課金できるようにする。
【００３０】
特定の実施形態を参照しながら本発明を詳細に図示し、説明してきたが、当業者であれば、特許請求の範囲に記載する本発明の範囲から逸脱することなしに、種々の変更を行う
ことができ、その要素の代わりに等価物を使用することができるでことを理解することができるだろう。それ故、本発明の仕様および図面は、本発明を制限するものではなく、例示としてのものに過ぎないと見なすべきであり、このようなすべての変更および置換は、本発明の範囲内に含まれる。
【００３１】
特定の実施形態を参照しながら、本発明の有利な点、他の利点および問題の解決方法について説明してきた。しかし、何らかの有利な点、利点または解決方法をもたらしたり、より優れたものにすることができる上記有利な点、利点、問題の解決方法、および任意の要素は、任意のまたはすべての請求項の重要な、必要なまたは本質的な機能または要素と解釈すべきではない。本明細書で使用する場合、「備える」、「備えている」または任意の他の派生語は、要素のリストを備えるプロセス、方法、物品または装置が、これらの要素を含むばかりでなく、リストに明示されていないか、またはこのようなプロセス、方法、物品または装置固有の他の要素を含むことができるように、非排他的な内容を含む。
【図面の簡単な説明】
【００３２】
【図１】従来技術の無線通信システムのブロック図。
【図２】本発明のある実施形態による無線通信システムのブロック図。
【図３】本発明のある実施形態による課金システムにアカウンティングを提供している、図２の通信システムが実行するステップの論理フローチャート。
【図４】本発明のある実施形態によるＡ８／Ａ９解放または更新メッセージの使用報告データ・フィールドのブロック図。
【図５】本発明のある実施形態によるＡ１０／Ａ１１登録要求メッセージの通常の販売業者／組織特定拡張（ＮＳＶＥ）のブロック図。
【図１】
2005524340.tif 000003
【図２】
2005524340.tif 000004
【図３】
2005524340.tif 000005
【図４】
2005524340.tif 000006
【図５】
2005524340.tif 000007
【国際調査報告】
2005524340.tif 000008